(57)【特許請求の範囲】
【請求項１】
被介護人を収容するための介護用ベッド装置であって、
左右の固定マット部と中央のスライドマット部を備えたベッドと、該ベッドに関して長手方向直列に配置されたバスタブ、便器及び車椅子とを備え、
前記バスタブ、便器、車椅子のうちの２つ以上が前記ベッドの下方に配置され、スイッチ選択により電動的に前記ベッドの中央部に位置する前記スライドマット部が前記長手方向にスライドして移動し、前記被介護人を、入浴時には、前記バスタブに、排便排尿時には前記便器に、前記車椅子の使用時には車椅子にそれぞれ案内するようになっており、前記車椅子が前記ベッドから離れる際には、前記スライドマット部が前記車椅子と一体となってベッドから分離される構成になっていることを特徴とする介護用ベッド装置。
【請求項２】
前記ベッドのマット部が、前記長手方向に関して、前記被介護人の尻部近傍から脚の部分を支える脚側部分と、腰部近傍から頭部にわたる部分を支える頭側部分との少なくとも２つに部分に前後に分離可能であり、前記脚側部分が分離して前記被介護人の脚先方向にスライドして移動し、前記頭側部分が被介護人の背もたれを構成するように回動して起立する構造になっており、前記マット部の分離によって前記被介護人の尻部に対応して開口部を形成し、被介護人の尻部を前記ベッドの下方に配置された、前記便器の便座に案内する構造を有する請求項１に記載の介護用ベッド装置。
【請求項３】
前記ベッドの下方に配置されたバスタブと、該バスタブに対する被介護人の昇降移動を補助する昇降機とをさらに備え、前記被介護人を前記マット部から前記昇降機の荷台に案内し、昇降機の荷台を下降させて、被介護人が入浴できるように前記バスタブ内に案内する構造を有する請求項１または２のいずれかに記載の介護用ベッド装置。
【発明の詳細な説明】
【技術分野】
【０００１】本発明は介護を必要とする病人、老人用のトイレ、バスを装着、車椅子でベッドを離れるにも使用可能で、洗面、食事にも便利な介護用ベッドに関するものである。
【従来技術】
【０００２】従来、排便時、入浴時、車椅子でベッドを離れる時等は、看護婦等介護人が抱きかかえる、或いは支える等をし、用を足す所まで介護を必要とする病人、老人、即ち被介護人を運ぶ必要があった。
【発明の開示】
【発明が解決しようとする課題】
【０００３】  従来、排便時、入浴時、車椅子でベッドを離れる時等は、看護婦等介護人が抱きかかえる、或いは支える等をし、用を足す所まで被介護人を運ぶ必要があったが、介護人が別の用件で手を取られているときはすぐには対応できなく被介護人が苦痛を感じたり、また被介護人が介護人に遠慮を感じたりすることもあった。
被介護人が気軽に必要な用がたせ、他人への負担を軽減できる便利なベッド、及びベッド周りの生活必要設備が従来より要望されていた。
【課題を解決する為の手段】
【０００４】  ベッド中央長手方向直列にバスタブ、ウォッシュレット水洗便器、車椅子の３つの設備を具備し、少なくとも内２つ以上がベッド下に配置され、スイッチ選択で電動的にベッド中央部のマットが長手方向にスライドし、入浴時にはバスタブ上部に、排便排尿時にはウォッシュレット便器上部に、車椅子使用時には車椅子上部に被介護人を配置できる構造の介護用ベッドにする事により、介護人なしでスイッチ操作のみで入浴、排便、排尿、車椅子によりベッドから離れることが出来るようにする。
【０００５】
入浴したいとき、内部に昇降する昇降機の荷台を配置し、給湯口と排水口を具備するバスタブをベッド下に具備し、ベッド中央部マットがスライドし、昇降機の荷台上面に被介護人を運び、昇降機の荷台が下降しバスタブ内で入浴できる構造を有し、昇降機の荷台を内部に配置するバスタブをベッド下に配置し、ベッド上の被介護人が乗るマット部の被介護人の尻が乗っている近傍から脚方向の分だけ脚方向にスライドする事によりできるマット厚さ分の空間高さだけ昇降機の荷台面を上げ被介護人の尻部近傍から脚部を受けた後、昇降機の荷台をバスタブ底まで下降させ、被介護人の入浴を可能とする事ができる。
水道配管と排水配管を付すウォッシュレット水洗便器がベッド上の被介護人の尻部下部近傍に配置され、その尻部より頭部にかけてのベッド部分が背もたれの形に立ち上がる構造と、尻部のベッド部分が脚方向にスライドし、開口し、被介護人の尻が便器の尻受け台に乗る構造を具備し、ベッド中央部マットをスライドさせることにより脚部方向に配置されている車椅子にベッド中央部マットが装着される構造の介護用ベッドにする事により、介護人の負担を軽減できる。
【０００６】
また、固定の水道配管に回転できる蛇口が取り付けられており、その蛇口から出る水を受ける折りたたみ式洗面台と折りたたみ式机がベッド長手方向側面に具備されており、ベッドの頭部、及び背中部がスイッチにより電動で傾斜状に起き上がる構造を有し、被介護人のスイッチ操作で日常必要な、寝た状態から座った上体への起き上がり、或いは座った状態から寝た状態にする事、洗面、食事、排便、入浴、車椅子によりベッドから離れる事等、一日の必要作業を被介護人が介護人なしで出来る。
【発明の効果】
【０００７】従来、食事時、排便時、入浴時、車椅子でベッドを離れる時等は、看護婦等介護人が抱きかかえる、或いは支える等をし、用を足す所まで被介護人を運ぶ必要があったが、介護人が別の用件で手を取られているときはすぐには対応できなく被介護人が苦痛を感じたり、また被介護人が介護人に遠慮を感じたりすることもあったが上記の手段を採用する事により、被介護人がわずかな動作とスイッチ操作により、気軽に必要な用がたせ、他人への負担を軽減できる。
【発明を実施する為の最良の形態】
【実施例】
【０００８】以下、本発明の実施例に付いて図１から図６に基づいて説明する。図１は本発明の介護用システムベッドの実施例を示す平面図である。
ベッド支持脚，７に支えられているベッドのマットが左右の固定マット，１とスライドマットＡ，３、スライドマットＢ，４、及びスライドマットＣ，５で構成され、固定マット，１のベッド中心線側側面にはリニアモーター可動磁石とスライドレール，１９が具備され、スライドマットＡ，３、スライドマットＢ，４、スライドマットＣ，５の両固定マット，１側の側面にはリニアモーター固定磁石が埋め込まれ、ベッド操作スイッチ，１３でリニアモーターを稼動し、スライドレール，１３に乗ったスライドマットＡ，３、スライドマットＢ，４、スライドマットＣ，５を任意の位置に移動できる。
スライドレール，１９は入浴の際と車椅子に乗る際はスライドマットＡ，３、スライドマットＢ，４、スライドマットＣ，５を支えるため上方を向いてスライド面のベッド中心線から遠い端を中心に回転し、スライドマットＡ，３、スライドマットＢ，４、スライドマットＣ，５はレリースされ、入浴の際は昇降台，６に、車椅子に乗る際は車椅子座部板，１０に乗る形となる。
又、折りたたみ洗面台，１４とテーブル，１８は洗面台・テーブル支持柱，９に取り付けられ固定ベッド，１の長手方向外側に配置されている。バスタブ，２、ウォッシュレット便器，８、車椅子はスライドベッドＡ，３、スライドベッドＢ，４、スライドベッドＣ，５の下に直列に配置されている。【０００９】毎日の被介護人のベッド生活で必要な各種行動について、ベッドが具備する機能がどのように機能するかを順次説明する。
まず、朝起きて顔を洗うにあたり、ベッド操作スイッチ，１３を操作し、スライドマットＡ，３、スライドマットＢ，４、スライドマットＣ，５を被介護人の脚方向にスライドさせるスライドマットＢ，４とスライドマットＣ，５の境界下端マット接続稜部，２３で繋がっており、図５に示すようにスライドマットＣ，５は車椅子の下部前面に垂れ下がるようになり、非使用時には、ほぼ水平方向で待機していた電動背もたれ支持軸，２２が図５に示すようにスライドマットＡ，３を傾斜状に立ち上げ、車椅子の背もたれとなる。
この状態にした後、洗面台・テーブル支持柱，９に取り付けてある折りたたみ洗面台１４を洗面台ストッパー，１５で止まる所までおろし、洗面台・テーブル支持柱，９に取り付けてある給水蛇口，１６を捻る事により水が出て顔を洗うことが出来る。使用水は折りたたみ洗面台，１４に一時溜まり後にフレキシブル排水ホース，１７に流れる。
食事に当たっては折りたたみ洗面台，１４と上記のようにおろした後、重なって洗面台・テーブル支持柱，９に具備されている折りたたみテーブル，１８を折りたたみ洗面台，１４にあたるまで下ろし、食器、及び各種食べ物を折りたたみテーブル，１８の上に食材を並べ食事ができる。【００１０】次に排便排尿に当たってはベッド操作スイッチ，１３の排便排尿ボタンを押すことにより、リニアモーターの働きで連結されているスライドマットＢ，４とスライドマットＣ，５を被介護人の脚方向にスライドさせウォッシュレット便器，８の上、スライドマットＢ，４とスライドマットＣ，５の間に空間をつくり、昇降機の荷台，６によりスライドマットＡ，３を傾斜状に立ち上げることにより、図４に示す配置となり、被介護人の尻がウォッシュレット便器，８の上に乗り、排便排尿が出来る。用済み後、排便後はベッド操作スイッチ，１３に選択ボタンとして存在する洗浄ボタンを押すことにより被介護人の尻を洗浄後、スライドマットＢ，４、及びスライドマットＣ，５が元の位置に戻る。
次に、ベッド操作スイッチ，１３にある入浴ボタンを操作すると、スライドマットＡ，３、スライドマットＢ，４、スライドマットＣ，５がそろって被介護人の頭部方向にスライドし、スライドマットＢ，４とスライドマットＣ，５の境界、即ちマット接続稜部，２３がバスタブ，２内に配置されている昇降機の荷台，６のほぼ中央に達した時点でスライドは停止し、スライドレール，１９がレリースし、昇降機の荷台，６が降下し、図３に示す昇降機の荷台，６がほぼ最下点で停止し、被介護人がバスタブ，２の中に入る形となり、入浴が可能となる。【００１１】被介護人が車椅子でベッドを離れたい時は、洗面、食事の際に既に説明済みの車椅子に座った状態になった後、電動背もたれ支持軸，２２が図５に示すようにスライドマットＡ，３を傾斜状に立ち上げ、スライドレール，１９はレリースされ、車椅子座部前面近傍に具備する車椅子操作スイッチ，１１を押すことにより車椅子に装備されている車椅子バッテリ，１２の電源で車椅子を駆動しベッドから離れることが出来る。
車椅子でベッドに戻ってきたときは、ベッドから離れるときの形に戻す為、バックでベッド中央に侵入し、ベッド操作スイッチ，１３でスライドレール，１９のスライド面を上方に向けす事によりスライドマットＡ，３、スライドマットＢ，４、スライドマットＣ，５がスライドレール，１９に乗る形となり、ベッド操作スイッチ，１３で被介護人の希望の位置にスライドさせられる。
【産業上の利用の可能性】
【００１２】自明ゆえ説明は省略
【図面の簡単な説明】
【００１３】
【図１】本発明介護用ベッド平面図
【図２】本発明介護用ベッド長手方向中央部断面図
【図３】被介護人が入浴する時の状態を示す図
【図４】被介護人が排便排尿する時の状態を示す図
【図５】被介護人が車椅子に乗る時の状態を示す図
【図６】折りたたみ洗面台、折りたたみテーブル取り付け部詳細
【符号の説明】
【００１４】１  固定マット
２  バスタブ
３  スライドマットＡ
４  スライドマットＢ
５  スライドマットＣ
６  昇降機の荷台
７  ベッド支持脚
８  ウォッシュレット便器
９  洗面台・テーブル支持柱
１０  車椅子座部板
１１  車椅子操作スイッチ
１２  車椅子バッテリー
１３  ベッド操作スイッチ
１４  洗面台
１５  洗面台ストッパー
１６  給水蛇口
１７  フレキシブル排水ホース
１８  折りたたみテーブル
１９  スライドレール
２０  リニアモーター可動電磁石
２１  リニアモーター固定電磁石
２２  電動背もたれ支持軸
２３  マット接続稜部
【図１】
0005188197.tif 000002
【図２】
0005188197.tif 000003
【図３】
0005188197.tif 000004
【図４】
0005188197.tif 000005
【図５】
0005188197.tif 000006
【図６】
0005188197.tif 000007